(57)【要約】【課題】産業廃棄物管理票（いわゆるマニュフェスト）の伝票等を１件ごとに納め区別ができやすく、幅が狭くならず、書類が入れやすく、重くならず、材料が無駄にならず、汚しにくい産業廃棄物管理票用のファイルシート及びファイルを提供する。【解決手段】産業廃棄物管理票を構成する複数枚の伝票等１３に対応して、これらの伝票等１３を入れる複数の透明なポケット５を重ね上下にずらしてベースシート１に設け、このベースシート１をファイル３へ綴じる。ポケット５は、透明なポケット用シート７Ａの左右辺及び下辺１１が、前記ベースシート１に貼り付けられ、同様に２枚目のポケット用シート７Ｂが上辺１２Ｂを、１枚目の前記ポケット用シート７Ａの上辺１２Ａから所定寸法ずらして貼り付けられ、同様にずらしながら順次Ｎ枚目のポケット用シート７までを貼り付ける。複数のポケット５の少なくとも一つには、上辺付近に、入れられた伝票等１３へ捺印又は記入をするための窓１５が形成されている。【選択図】図1
2006130861.tif 000002
【特許請求の範囲】
【請求項１】
産業廃棄物管理票を構成する複数枚の伝票等に対応して、これらの伝票等を入れる複数の透明なポケットと、伝票等の上端部が前記ポケットの透明な材質を通して見えるように、これらのポケットを重ね上下にずらして設けたベースシートと、このベースシートの上辺、下辺、または側辺に形成されたファイルへの綴じ代と、を有することを特徴とする産業廃棄物管理票用のファイルシート。
【請求項２】
前記複数のポケットは、透明なポケット用シートの左右辺及び下辺が、前記ベースシートに貼り付けられ、同様に２枚目のポケット用シートが上辺を、１枚目の前記ポケット用シートの上辺から所定寸法ずらして貼り付けられ、同様にずらしながら順次Ｎ枚目のポケット用シートまでを貼り付けることで設けたことを特徴とする請求項１に記載の産業廃棄物管理票用のファイルシート。
【請求項３】
前記の複数のポケットの少なくとも一つには、上辺付近に、入れられた伝票等へ捺印又は記入をするための窓が形成されていることを特徴とする請求項１、又は２に記載の産業廃棄物管理票用のファイルシート。
【請求項４】
請求項１、２、又は３に記載のファイルシートを１枚又は複数枚を綴じたことを特徴とする産業廃棄物管理票用のファイル。
【発明の詳細な説明】
【技術分野】
【０００１】
この発明は、いわゆるマニュフェストと呼ばれる産業廃棄物管理票を構成する複数枚の伝票等を入れるファイルシート及びファイルに関する。
【背景技術】
【０００２】
いわゆるマニュフェストと呼ばれる産業廃棄物管理票は、産業廃棄物の処理を確認するために用いられる。すなわち、産業廃棄物管理票は、複数枚複写の伝票等からなり、産業廃棄物が、例えば排出業者、収集運搬業者、中間処分業者、２次収集運搬業者、最終処分業者と流れて処分される際に、下流側の業者が処分をするたびに上流側の業者に伝票等を渡し、各段階の業者は渡された伝票等を保管することで、流れの各段階の処分を確認することを容易にしようとするものです。
【０００３】
以下詳しく説明する。
産業廃棄物は例えば、排出業者から排出されて、収集運搬業者が収集して運搬し、中間処分業者が焼却などの中間処分を行い、２次収集運搬業者が収集して運搬し、最終処分業者が埋め立てなどの最終処分を行う。
【０００４】
この産業廃棄物の流れにおける各段階の処分を確認するため、二つのマニュフェスト（産業廃棄物管理票）が使用される。一つは排出業者が使用するもので、１次マニュフェストと呼ばれ、７枚複写の伝票Ａ，Ｂ１，Ｂ２，Ｃ１，Ｃ２，Ｄ，Ｅからなります。二つめは、中間業者が使用するもので、２次マニュフェストと呼ばれ、やはり７枚複写の２次伝票Ａ，Ｂ１，Ｂ２，Ｃ１，Ｃ２，Ｄ，Ｅからなります。
【０００５】
（１次マニュフェスト）
排出業者は、７枚複写の伝票Ａ，Ｂ１，Ｂ２，Ｃ１，Ｃ２，Ｄ，Ｅへ必要事項を記入して、全てを収集運搬業者に渡す。収集運搬業者は、必要箇所にサインして、伝票Ａを排出業者へ控えとして渡し、伝票Ｂ１，Ｂ２，Ｃ１，Ｃ２，Ｄ，Ｅに必要事項を記入してを廃棄物とともに中間処分業者に渡す。中間処分業者は、必要箇所にサインして、伝票Ｂ１，Ｂ２を収集運搬業者へ控えとして渡す。収集運搬業者は、伝票Ｂ１を自らの控えとして残し，伝票Ｂ２を排出業者に送付する。
【０００６】
中間処分業者は、廃棄物の中間処分を終えた後に、伝票Ｃ１，Ｃ２，Ｄ，Ｅに必要事項を記入して、伝票Ｃ１を自らの控えとして残し、伝票Ｃ２を収集運搬業者へ送付し，伝票Ｄを排出業者へ送付する。また、伝票Ｅを一時保管する。
【０００７】
（２次マニュフェスト）
中間処分業者は、前記排出業者と同様に、２次伝票Ａ，Ｂ１，Ｂ２，Ｃ１，Ｃ２，Ｄ，Ｅに必要事項を記入して、全てを２次収集運搬業者に渡す。２次収集運搬業者は、必要箇所にサインして、２次伝票Ａを中間処分業者へ控えとして渡し、２次伝票Ｂ１，Ｂ２，Ｃ１，Ｃ２，Ｄ，Ｅに必要事項を記入してを廃棄物とともに最終処分業者に渡す。最終処分業者は、必要箇所にサインして、２次伝票Ｂ１，Ｂ２を２次収集運搬業者へ控えとして渡す。２次収集運搬業者は、２次伝票Ｂ１を自らの控えとして残し，２次伝票Ｂ２を排出業者に送付する。
【０００８】
最終処分業者は、廃棄物の最終処分を終えた後に、２次伝票Ｃ１，Ｃ２，Ｄ，Ｅに必要事項を記入して、２次伝票Ｃ１を自らの控えとして残し、２次伝票Ｃ２を２次収集運搬業者へ送付し，２次伝票Ｄ、Ｅを中間処分業者へ送付する。
【０００９】
（最終処分の確認）
２次伝票Ｄ、Ｅの送付を受けた中間処分業者は、２次伝票Ｄ，Ｅを保管し、２次伝票Ｅから最終処分を確認し、その内容を伝票Ｅに記入し、排出業者へ送付する。伝票Ｅの送付を受けた排出業者は、最終処分を確認する伝票Ｅを保管する。
【００１０】
（控え、または保管伝票）
以上により、流れの各段階に位置する各業者は、以下のように、控え、または伝票を保管することになる。
排出業者：伝票Ａ、Ｂ２、Ｄ、Ｅ
収集運搬業者：伝票Ｂ１、Ｃ２          
中間処分業者：伝票Ｃ１、２次伝票Ａ、Ｂ２、Ｄ、Ｅ
２次収集運搬業者：２次伝票Ｂ１、Ｃ２
最終処分業者：２次伝票Ｃ１
【００１１】
（伝票の性質と保管の効果）
控え、または保管伝票は、廃棄物の送り状、または各段階での処分終了の報告書となる。そして、これらの保管が例えば５年間なされることで、流れの各段階の処分を確認することが容易になり、不法投棄などを無くそうとするものである。
【００１２】
（保管）
以上説明したように、産業廃棄物管理票を構成し、長期間保管しなければならない控えや伝票は、多いときには５枚にもなる。また、産業廃棄物管理票は、産業廃棄物の排出の件ごとに行わなければならず、更に枚数は増える。しかも、混乱して、どの控えや伝票は、どの件に関するのかの区別が不明になりやすい。
【００１３】
また、控えや伝票は、産業廃棄物の処理の現場で扱われることが多く、塵埃などによる汚れから守られなければならない。透明な袋状のシートを多数有するファイルも販売されているが、控えや伝票１枚ごと透明な袋に入れても、前記区別が不明になりやすい。
【００１４】
このような控えや伝票などの書類の保管に役立ちそうな従来技術として、下記特許文献１には、透明な袋を３つ、背の高さを違えて、多重に入れて、複数のポケットを形成し、書類を収納するものが開示される。
また、特許文献２には、大きな書類をファイルの内側の両面にまたがって収納するポケットを備える技術が開示される。
【特許文献１】実用新案登録3019762号公報における図５、図８（ｂ）
【特許文献２】特開2003-276374号公報における図４、図１１
【発明の開示】
【発明が解決しようとする課題】
【００１５】
しかしながら、特許文献１の技術では、複数の透明な袋を、背の高さを違えて、多重に入れなければならない。そして、書類の枚数に応じてポケットの数を増やすためには、袋の数を増やさなければならず、増やした袋が、入れた内部で多重になり、厚みが大きくなり、その分が無駄が生じてしまう。例えば、排出業者が保管すべき伝票Ａ、Ｂ２、Ｄ、Ｅの４枚の書類を入れるには、４つの袋が必要になり、重なりは８重になり、重くなってしまう。また袋である材料が無駄である。さらに、袋を多重に入れるために、下側すなわち外側の袋の幅に対し、内側すなわち上側の袋の幅は狭くなり、結局、収納できる書類の幅が狭くなる。また、一番上のポケットには書類が入れにくい。
【００１６】
また、特許文献２の技術では、収納した書類の中央部分など広い部分が露出してしまう。このために、廃棄物の処理現場などで扱うことが多い産業廃棄物管理票の控えや伝票（以下単に伝票等という）は、すぐに汚れてしまう。また、多数件に関係する多数枚の伝票等は、収納できにくい。
【００１７】
この発明は、以上の問題点を解決するために、産業廃棄物管理票の伝票等を１件ごとに納め区別ができやすく、幅が狭くならず、書類が入れやすく、重くならず、材料が無駄にならず、産業廃棄物管理票の伝票等を汚しにくい産業廃棄物管理票用のファイルシート及びファイルを提供することを目的とする。
【課題を解決するための手段】
【００１８】
以上の課題を解決するために、第一発明は、産業廃棄物管理票を構成する複数枚の伝票等に対応して、これらの伝票等を入れる複数の透明なポケットと、伝票等の上端部が前記ポケットの透明な材質を通して見えるように、これらのポケットを重ね上下にずらして設けたベースシートと、このベースシートの上辺、下辺、または側辺に形成されたファイルへの綴じ代と、を有することを特徴とする産業廃棄物管理票用のファイルシートである。  第二発明は、さらに、前記複数のポケットは、透明なポケット用シートの左右辺及び下辺が、前記ベースシートに貼り付けられ、同様に２枚目のポケット用シートが上辺を、１枚目の前記ポケット用シートの上辺から所定寸法ずらして貼り付けられ、同様にずらしながら順次Ｎ枚目のポケット用シートまでを貼り付けることで設けたことを特徴とする産業廃棄物管理票用のファイルシートである。
【００１９】
第三発明は、さらに、前記の複数のポケットの少なくとも一つには、上辺付近に、入れられた伝票等へ捺印又は記入をするための窓が形成されていることを特徴とする産業廃棄物管理票用のファイルシートである。
第四発明は、さらに、前記第一、第二、第三、又は第四発明のファイルシートを１枚又は複数枚を綴じたことを特徴とする産業廃棄物管理票用のファイルである。
【発明の効果】
【００２０】
第一、第二、第三、又は第四発明によれば、ポケットを重ね上下にずらして設けることで、産業廃棄物管理票の伝票等を少しずつずらして納められ、よって伝票等の上端部がポケットの透明な材質を通して見えるので、各伝票等の区別ができやすく、このため１枚のファイルシートごとに必要な書類が揃っているかが一目で確認できやすい。
【００２１】
また、特許文献１のように透明な袋を多重に入れて構成するのではないので、幅が狭くならない。また、ベースシートにポケットが設けられるので、伝票等がベースシートの面部にガイドされてポケットの上辺へ導かれ、伝票等が入れやすい。さらに、伝票等は透明なポケットに入れられるので汚れにくい。
【００２２】
第二、第三、又は第四発明によれば、さらに、ベースシートに透明なポケット用シートを貼り付けてポケットを設けるので、透明な袋を用いた特許文献１のようには重くならず、材料が無駄にならない。
第三、又は第四発明によれば、さらに、ポケットに伝票等へ捺印又は記入をするための窓が形成されていることで、伝票等をポケットから取り出さずに捺印又は記入をすることができ、産業廃棄物の塵埃などで伝票等が汚れるを抑止できる。
【発明を実施するための最良の形態】
【００２３】
この発明の実施形態を、図１〜図３に示す。
ベースシート１は透明な材質からなり、定型の、例えばＡ３のファイル３に閉じれるように、定型の、例えばＡ３の大きさを有する。このベースシート１を縦置きとして、例えば４つのポケット５を上から順に設けるために４枚の透明なポケット用シート７が貼り付けられる。  すなわち、１番上の１枚目のポケット用シート７Ａの左右辺９及び下辺１１が、ベースシート１の上へ貼り付けられる。
【００２４】
同様に２枚目のポケット用シート７Ｂの左右辺９及び下辺１１が、１枚目のポケット用シート７Ａの上、及びベースシート１の上へ貼り付けられる。このとき、２枚目のポケット用シート７Ｂの上辺１２Ｂは、１枚目の前記ポケット用シート７Ａの上辺１２Ａから所定寸法だけ下へずらした状態で、貼り付けがなされる。
【００２５】
同様に３枚目のポケット用シート７Ｃの左右辺及び下辺１１が、２枚目のポケット用シート７Ｂの上、及びベースシート１の上へ貼り付けられる。このとき、３枚目のポケット用シート７Ｃの上辺１２Ｃは、２枚目の前記ポケット用シート７Ｂの上辺１２Ｂから所定寸法だけ下へずらした状態で、貼り付けがなされる。
【００２６】
同様にずらしながら順次４枚目のポケット用シート７Ｄまでを、下へずらしながら貼り付けることで、４つのポケット５が重なった状態で、少しずつずれながら設けられる。
各ポケット５には、産業廃棄物管理票を構成する４枚の伝票等１３、例えば伝票Ａ、Ｂ２、Ｄ、Ｅがそれぞれ納められる。伝票等１３とポケット５の大きさはほぼ同じとする。各ポケット５はずれているので、各伝票等１３の上端部が、ポケット５の透明な材質を通して見える。
また、一枚目のポケットシート７Ａには、右上辺付近に、収納された伝票等１３へ捺印又は記入をするための窓１５が形成されている。この一枚目のポケット５には、はじめの伝票Ａが入れられ、後の伝票Ｂ２、Ｄ、Ｅが送付されてくるたびに、伝票Ａの右上辺付近の欄Ａ１に、送付を確認する捺印又は記入を行う。
【００２７】
このベースシート１の上辺には、一定幅の綴じ代１７が形成され、綴じ孔１９が開けられ、綴じ金具２１によりファイル３へ閉じられる。
このようにして構成されたファイルシートＳは、１件が１枚とされ、例えば１０件の産業廃棄物の排出を行うと、１０枚のファイルシートＳを使うことになる。この１０枚のファイルシートＳは、一つの産業廃棄物管理票用ファイル３に綴じることができる。
なお、透明なシートの材質は、ビニールやセロファンなどの通常、文房具などに用いられる材質を使用しうる。
【００２８】
「実施形態の効果」
この実施形態によれば、以下の効果を有する。
（１）従来の透明な袋状のシートを多数有するファイル３へ、控えや伝票１枚ごと透明な袋に入れる場合に比べ、少しずつずれながら設けられるポケット５により、伝票等１３が少しずつずれながら収納され、よって、各伝票等１３の上端部が、ポケット５の透明な材質を通して見えるので、各伝票などが、どの件に関するのかが人目で明瞭に区別できる。
【００２９】
（２）特許文献１の技術に比べ、ポケット５はそれぞれ一重のポケットシート７により形成されるので、例えば、ポケット５をずらす量を最少にし、ポケットシート７が重なる枚数を最大にしても、排出業者が保管すべき伝票Ａ、Ｂ２、Ｄ、Ｅの４枚の書類を入れるのに、重なりは４重で済む。その分、材料が無駄にならない。
【００３０】
（３）特許文献１の技術に比べ、袋を用いるのではないので、収納できる書類の幅が狭くなということはない。
（４）特許文献１の技術に比べ、ベースシート１にポケット５が設けられるので、伝票等１３がベースシート１の面部にガイドされてポケット５の上辺へ導かれ、伝票等１３が入れやすい。このため、一番上のポケット５であっても書類が入れにくいということを避けられる。
【００３１】
（５）また、特許文献２の技術２比べ、伝票等１３はポケット５に収納されるので、汚れにくくできる。
（６）また、特許文献２の技術２比べ、ポケット５の数は容易に増やせるので、多数件に関係する多数枚の伝票等１３も収納しやすい。
【００３２】
「他の実施形態」
以上の実施形態では、排出業者が保管すべき伝票等１３を例としてポケット５の数を４つとしたが、他の実施形態では、３つ、あるいは５つ以上などでもよい。
【００３３】
以上の実施形態では、伝票等１３は直接にポケット５へ収納するものであったが、この伝票等１３は腰が弱くポケット５の材質などにより収納がしにくいことがあるので、他の実施形態では、一度別の腰の強い２枚折りの透明な簡易ファイルに入れ、その後、簡易ファイルに入れた状態の伝票等１３を産業廃棄物管理票用ファイルのポケット５に入れてもよい。
【図面の簡単な説明】
【００３４】
【図１】この発明の一実施形態を示す、ファイルシートを綴じたファイルを開いた状態の全体正面図である。
【図２】図１のファイルシートを示す正面図である。
【図３】図２のファイルシートを分解して示す正面図である。
【符号の説明】
【００３５】
１…ベースシート、３…ファイル、５…ポケット、７…ポケット用シート、９…左右辺、１１…下辺、１３…伝票等、１５…窓。
【図１】
2006130861.tif 000003
【図２】
2006130861.tif 000004
【図３】
2006130861.tif 000005